(57)【要約】【課題】  プラグを装着した電気ケーブルにおいて、引っ張り方向への外力が加えられた場合に、断線が発生しやすいので、電気ケーブルやはんだ接続部に外力が伝わない構造を構築する。【解決手段】電気ケーブルの外側に外装を設け、この外装に円柱状のストッパー部材を固定する。プラグ鞘の末端部分をケーブルの外装の外形より太く、ストッパー部材の外形より細くすることで、電計ケーブルに引っ張り方向の外力が加わったとしてもストッパー部材がストッパー機構を設けた鞘の末端で止まることで、外力はストッパー部材とストッパー部材を固定した外装部分だけに伝わり、はんだ接続部や電気ケーブルへは断線を起こさせる力が伝わらない構造を構築する。【選択図】図１
2014132543.tif 000002
【特許請求の範囲】
【請求項１】
プラグ付電気又は光ケーブルのケーブル本体に伸びない素材の外装を被せ、当該外装にストッパー部材を固定し、前記外装を被せたケーブルが通過可能で、ストッパー機構を有した鞘を、該鞘を前記ストッパー部材が機能するに適した位置で前記外装を被せたケーブルを通した後、接続部や電気ケーブル本体に力のかからないプラグ位置に装着したことを特徴とするプラグ付電気又は光ケーブル。
【発明の詳細な説明】
【技術分野】
【０００１】  本発明は、断線を防止するプラグ付電気ケーブル又は光ケーブルに関するものである。
【背景技術】
【０００２】  電子楽器や音響装置は単体で使うことは少なく、人や楽器が発生した音をマイクで電気信号に変換した後、エフェクターなどの音質を調整する装置、電気信号を増幅するアンプ、電気信号を音に変換するスピーカーといった各種音響装置を電気ケーブルで接続して音声や音楽として提供する方法が取られている。【０００３】  音響装置は演奏する楽器や楽曲、または演奏会場や録音装置などに合わせた音量や音質を実現するために、使用する音響機器や接続の順番は演奏ごとに変化する。
そのために楽器や各種音響装置には業界で標準となるジャックを設け、電気ケーブルには、そのジャックに合わせたプラグを装着していた。それによって音響機器の接続を変更する場合には、電気ケーブルを簡単に抜き差しできていた。【０００４】  通常、プラグと電気ケーブルは、はんだにより電気的にも物理的にも接続されているが、電気ケーブルに引っ張り方向の応力がかかった場合、強度の弱い部分となるプラグと電気ケーブルの接続部分に力が集中して断線を起こし、音が出なくなるトラブルが多く発生している事が楽器演奏家や音響エンジニアの間では良く知られている。【０００５】  電気ケーブル本体はプラス側の銅線とマイナス側の銅線を樹脂で一体化して太く機械的に強い構造にしているが、電気ケーブルをプラグと接続するためにはプラス側の銅線とマイナス側の銅線に分離しなければならいので、線径が細くなり、引張りなどの外力がかかると細くなった電気ケーブル部分で断線を発生させることになる。【０００６】  そのために、演奏会などの前には必ず電気ケーブルの通電試験を入念に行い、演奏中に絶縁トラブルが起こらないように対応しているが、ロックなどの演奏会の場合には演奏者がステージを移動することで演奏中にケーブルの断線が発生して、音が出なくなるなどのトラブルが多数発生していることは音楽関係の仕事に従事した人には周知の事実である。【０００７】  これらの問題を低減するために、従来は外部から加えられた力が断線を起こしやすい電気ケーブルとプラグの接続部分にかからないように、プラグの金属部分を変形させて、電気ケーブル本体をカシメることで、電気ケーブルの細くなった部分に外力が伝わらないような構造をとっていた。【０００８】  従来の方式の１例を説明する。図４においてプラグ本体のプラス端子８とプラス側の銅線１３は、はんだを介してプラス端子はんだ付け部９において電気的、機械的に接続される。また、プラグのマイナス端子１０とマイナス側の銅線１４は、はんだを介してマイナス端子はんだ付け部１１において電気的、機械的に接続される。加えて、マイナス側の電線とはんだ接続する金属のマイナス端子１０を延長してカシメ用板金１５にしてケーブル本体１をカシメることで、引っ張り方向に加えられた力が強度の弱いプラス側の銅線１３、マイナス側の銅線１４やプラス端子はんだ付け部９、マイナス端子はんだ付け部１１に加わりにくい構造にしている。【０００９】  従来の別方式の例を説明する。図５においてプラグのプラス端子とプラス側の銅線、マイナス端子とマイナス側の銅線は、図４と同様に、はんだを介して電気的、機械的に接続される。はんだ接続されたケーブル本体１に筒状のプラスチック製カバー１９を取り付ける。プラスチック製カバー１９は内径がケーブル本体１より太い。
プラグ鞘３の内径が末端に向かうに従い細くなる構造で、プラスチック製カバー１９の終端部分をクサビ形状２０にしていることから、プラグ５とプラグ先端カバー１６とプラグ鞘３をプラグ先端カバーネジ１７、プラグ鞘ネジ１８により締め付けて装着する時には、プラスチック製カバー１９が絞られていく。それによりプラスチック製カバー１９の内径がケーブル本体１の外形より細くなり、ケーブル本体１を締め付けて固定することができる。このような構造にすることで、外部から加えられた力が強度の弱い、ケーブル本体１の細くなった部分や、はんだ付け部分にかかりにくい構造にしている。【００１０】  しかしながら、従来の方法である項目０００８で示したカシメ用板金１５によるカシメでは、ケーブル本体１を保持する力は摩擦力だけである。また、カシメ用板金１５の板厚は薄く、バネ性も少ないのでケーブルを保持する力は低くい。加えて時間が経つと、電気ケーブルの外皮が樹脂であるために、電気ケーブルの外皮が変形し、カシメる力が弱まり保持力は低下していく。また、項目０００９で示した、プラスチック製カバー１９で締め付ける構造のプラグにおいても電気ケーブルを保持する力は摩擦力だけである。また、電気ケーブルがプラスチック製カバー１９の内径よりも細い場合、電気ケーブルを締め付ける力が弱く、締め付けの効果は少ない。加えて時間が経つと、電気ケーブルの外皮が変形し、カシメる力が弱まり保持力は低下していく。また、項目０００８、項目０００９の方法では、保持する部分が電気ケーブル本体であるために、外部から加えられた応力は電気ケーブル本体にかかり、電気ケーブルにダメージを与える原因にもなる。加えてカシメることにより電気ケーブルは変形し、内部導体間の距離が変わることで誘電特性や高周波特性への悪影響を与える可能性がある。
【発明の概要】
【発明が解決しようとする課題】
【００１１】  解決しようとする問題点は、従来の電気ケーブルの保持方法では、外部から加えられた応力が、電気ケーブルやはんだ付け部分の細くなった銅線に加わることを防ぎきれず、断線を発生させると言うことである。
そこで、本発明は、電気ケーブルに伸びない素材の外装を被せ、この外装にストッパー部材を固定した上で、プラグの鞘部分に、このストッパー部材を保持するストッパー構造を作ることで上記問題点を解決しようとするものである。
【課題を解決するための手段】
【００１２】  本発明は、プラグ付電気又は光ケーブルのケーブル本体に伸びない素材の外装を被せ、当該外装にストッパー部材を固定し、前記外装を被せたケーブルが通過可能で、ストッパー機構を有した鞘を、該鞘を前記ストッパー部材が機能するに適した位置で前記外装を被せたケーブルを通した後、接続部や電気ケーブル本体に力のかからないプラグ位置に装着したことを特徴とするプラグ付電気又は光ケーブルである。
【発明の効果】
【００１３】  本発明の電気ケーブル等は、電気ケーブル等に外部から力が加えられた場合、外装と外装に固定されたストッパー部材、導通に関係しないプラグの鞘部分だけに力がかかる構造とすることで、導通を受け持つ電気ケーブル本体やプラグの導通部、電気ケーブルとプラグの電気的な接続部に力が掛かることがなく、断線を防止することが出来る。
【図面の簡単な説明】
【００１４】
【図１】本発明の実施形態を示すプラグ付きの電気ケーブルの説明図である。
【図２】外装に取り付けられたストッパー部材の説明図である。
【図３】ストッパー部材の状態を示す説明図で（Ａ）は停止前を示し、（Ｂ）は停止状態を示す。（Ｃ）（Ｄ）（Ｅ）（Ｆ）はストッパー部材を止める鞘末端部のストッパー形状の説明図である。
【図４】現在まで使用されているプラグ付きの電気ケーブル断線防止機構の、１つの例の説明図である。
【図５】現在まで使用されているプラグ付きの電気ケーブル断線防止機構の、もう１つの例の説明図である。
【発明を実施するための形態】
【００１５】  以下、図面の実施例とともに実施の形態について説明する。本発明に係わる電気ケーブルは、引っ張り方向に加えられる力により、ケーブルが断線するのを防ぐと言う目的を、電気ケーブルを覆う外装６と、その外装６に固定するストッパー部材２と、ストッパー部材２を固定する加工を施したプラグ鞘３との３点で、ケーブル本体１とプラグ５を電気的に接続する接点部分の構造を変更することなく実現した。
【００１６】  図１は、本発明の実施例の説明図であって、ケーブル本体１、ケーブル本体１と独立した布などの外装６、外装６に固定する円筒状の金属製のストッパー部材２、電気信号を音響装置の入力部分であるジャックに差し込むプラグ５、はんだ接続部分を保護するためにプラグ５にネジ止めされるプラグ鞘３の部品で構成されている。
【００１７】  ケーブル本体１は一般の電気ケーブルであればあらゆる形状のものが使用できるが断面が円柱状のものが望ましい。尚、外装６は布製であるが、それに限定されることなく、強度があり、伸びない素材であれば樹脂など他の素材であってもよい。
【００１８】  電気ケーブルの外装６は切断されにくく、ストッパーネジ１２が食い込み易い材質と構造が望ましい。
【００１９】  プラグ５はプラス極とマイナス極を持つ。この各極は、はんだ付けを行うプラス端子８、マイナス端子１０と端子カシメ部分７において、互いの極が短絡しないように絶縁物を挟んでカシメて、電気的にも機械的にも接続されている。ケーブル本体１を構成するプラス側の銅線１３はプラス端子８とはんだにより電気的に接続される。ケーブル本体１を構成するマイナス側の銅線１４はマイナス端子１０とはんだにより電気的に接続される。
【００２０】  ストッパー部材２は筒状で、ストッパー部材２の外周から内側に向かって設けられたネジ穴にストッパーネジ１２をケーブル本体１に施した外装６に食い込むよう装着し、外装６に固定される。尚、ケーブル本体１に施した外装６への固定はネジに限定することなく、強固に固定できる手法であれば接着や圧着であってもよい。
また、ストッパー部材２は円筒形状に限らず外装６に固定でき、プラグ鞘３のストッパー機構で止まる形状ならば、円筒の一部が空いた「Ｃ型」や「角筒」でも良い。
【００２１】  ストッパー部材２は伸びや変形、化学的変化の少ない硬質の金属を削り出したもので、プラグ鞘３の構造部分にスムーズかつ隙間の無いように収まる加工精度のものが望ましい。
【００２２】  ストッパー部材２に取り付けるストッパーネジ１２は硬度があり、サビに強くケーブル本体１の外装６だけに食い込み、強固に外装６に留まるものが望ましい。
【００２３】  プラグ鞘３は筒状で、プラグ５側の内径は、ストッパー部材２の外形より大きく、プラグ５と反対側の内径は、外装６の外形より大きく、ストッパー部材２の外形より小さい構造とする。
【００２４】  プラグ鞘３は伸びや変形が無く、化学的に安定な硬質の金属を削りだしたもので、ストッパー部材２が納まる鞘末端ストッパー部４はストッパー部材２がスムーズに挿入でき、隙間ができず、ストッパー部材２が鞘末端ストッパー部４に収まった時に、ぐらつかない加工精度のものが望ましい。
尚、ストッパー部材及び、プラグ鞘３は金属に限定することなく、強固に外装６に固定でき、鞘末端ストッパー部４にスムーズに収まるものであれば、セラミック、樹脂、カーボンなどであってもよい。
【００２５】  実施例においては、高強度の繊維でケーブル本体１の外側を編んで、外装６を施す。外装６を施したケーブル本体１の外側に、プラグ鞘３を挿入した後に、ストッパー部材２をプラグ鞘３の筒内部に収まるように挿入する。
【００２６】  ケーブル本体１の先端を外装６と共に分解し、プラス側の銅線１３とマイナス側の銅線１４を剥き出す。プラグ５のプラス極とつながるプラス端子８とプラス側の銅線１３をプラス端子はんだ付け部９ではんだ接続する。プラグ５のマイナス極とつながるマイナス端子１０とマイナス側の銅線１４をマイナス端子はんだ付け部１１ではんだ付けし、電気的な導通を確保する。
【００２７】  ケーブル本体１をまっすぐにした後、ストッパー部材２を図３に示すように、図中の右方向に固定しない状態で置き、プラグ５の雄ネジとプラグ鞘３の雌ネジ部分を締め切る。この時、プラグ５の鞘末端ストッパー部４の穴径がストッパー部材２の外径より小さいので、ストッパー部材２は鞘末端ストッパー部４で図３（Ｂ）の状態で止まる。この状態でストッパー部材２が動かないようにしてプラグ５とプラグ鞘３を分解した後、ストッパー部材２を５ｍｍ程度プラグ５の先端と反対方向に移動してネジや接着剤で外装６に固定する。
【００２８】  このことにより、再度プラグ５とプラグ鞘３を組み立てた後には、ケーブル本体１にプラグ５と反対方向の力をかけても、ストッパー部材２が外装６に固定されているために外装６は鞘末端ストッパー部４で止まり、プラス端子はんだ付け部９やマイナス端子はんだ付け部１１、ケーブルが細くなったプラス側の銅線１３、マイナス側の銅線１４、プラグ５とはんだ付けを行うプラス端子８、マイナス端子１０を固定している端子カシメ部分７に力がかかることが無く、断線の発生をなくすことが可能になる。
また、引っ張りの力は外装６とストッパー部材２とプラグ鞘３だけに加わるので、ケーブル本体１にも影響を与える事はない。
【００２９】  ストッパー部材２を止める鞘末端部は図３（Ｃ）に示すようにストッパー部材２と面接触してケーブル１に加えられた力が分散する方式が望ましいが、図３（Ｄ）に示すように鞘末端部をストッパー部材２の外径より小さくなるように絞った形状や、図３（Ｅ）に示すような鞘末端部の外周から内周に向けてネジを差し込んでストッパー部材２が抜けない構造にしたものや、図３（Ｆ）に示すように内径がケーブル本体１より大きくストッパー部材２の外形より小さい円筒状のネジを鞘末端部から差し込んでストッパー部材２が抜けない構造であっても良い。
【産業上の利用可能性】
【００３０】  以上、プラグ付き電気ケーブルを例として説明したが、プラグが付いている大電流用電気ケーブル、通信ケーブル、光ケーブルにも適用できる。
【符号の説明】
【００３１】１ケーブル本体
２ストッパー部材
３プラグ鞘
４鞘末端ストッパー部
５プラグ
６外装
７端子カシメ部分
８プラス端子
９プラス端子はんだ付け部
１０マイナス端子
１１マイナス端子はんだ付け部
１２ストッパーネジ
１３プラス側の銅線
１４マイナス側の銅線
１５カシメ用板金
１６プラグ先端カバー
１７プラグ先端カバーネジ
１８プラグ鞘ネジ
１９プラスチック製カバー
２０クサビ形状
２１鞘末端絞り
２２鞘末端止めネジ
２３鞘末端塞ぎネジ
【図１】
2014132543.tif 000003
【図２】
2014132543.tif 000004
【図３】
2014132543.tif 000005
【図４】
2014132543.tif 000006
【図５】
2014132543.tif 000007